(57)【特許請求の範囲】
【請求項１】
一方の端面がプラスの電極であり、他方の端面がマイナスの電極である電池を収納する電池収納装置において、
前記電池収納室に前記電池を保持するための電池蓋と、
前記電池の電極と接するための突起部を有する導通板と、
前記電池蓋の前記電池と接触する側に固定され、変形方向が前記電池のプラスとマイナスとの電極を結ぶ方向である弾性部材とを備え、
前記電池蓋に前記導通板を前記弾性部材を介して支持し、前記導通板を前記電池のプラスとマイナスとの電極を結ぶ方向に移動可能にしたことを特徴とする電池収納装置。
【請求項２】
前記電池のプラス接点と導通させる前記突起部の大きさは、前記電池のマイナス接点の外側の非導通部に接触する大きさであることを特徴とする請求項１記載の電池収納装置。
【発明の詳細な説明】
【０００１】
【産業上の利用分野】
本発明は、電池を収納する電池収納室に関するものである。
【０００２】
【従来の技術】
従来の構造としては、例えば図８に示すものが存在する。図８は、電池収納室を構成する部品の斜視図である。
図８において、１０１は電池収納室、１１０は電池の接点を直列に導通させる導通板１１２が固定されており、回転可能な軸を持つ電池蓋である。電池収納室１０１と電池蓋１１０の間に、電池蓋１１０を軸支し電池収納室１０１に固定する固定部材１０９がある。電池収納室１０１の上部にある切片１０２は電池１１３のマイナス接点であり、リード線１０４と接続されて、１０６のバネを介して電池の電極と電極とを結ぶ方向（以下、スラスト方向）に移動可能に基板１０８と電池収納室１０１とで挟み込まれている。切片１０３、リード線１０５、バネ１０７も同様な構成になっている。ただし、切片１０３は電池１１４のプラス接点であり、電池１１４の電極を逆にマイナス接点を入れると切片１０３の外周に電池のマイナス接点の外周の非導電性部分が接し導通しない。
【０００３】
図９は、図８をＡ方向からみた縦断面図である。図９において、１１３は電池であり、下がプラスで上がマイナスである。１１１は電池蓋１１０を回転可能状態から固定部材１０９に係止するための係止部材である。導通板１１２は電池蓋１１０に固定されている。
図１０は、電池１１３の電極を逆にいれた場合を示す図である。図１０において、電池１１３のマイナス切片の外周が電池蓋１１０の突起１１０ａ、１１０ｂにより導通板１１２に接しないようになっている。
【０００４】
【発明が解決しようとする課題】
しかし、電池収納室が衝撃を受けたり、振動した場合において、電池の製造上のばらつきを考慮して電池収納室を大きめにしてあるため、電池が電池収納室を移動し、導通板１１２と電池１１３とが導通しなくなってしまうという問題点があった。
【０００５】
そこで本発明では、このような問題点に鑑みてなされたものであり、衝撃及び振動に強い電池収納室を提供することを目的とする。
【０００６】
【課題を解決するための手段】
上記目的を達成するために本発明の請求項１では、電池と導通させるための突起部を有する導通板を、電池のプラスとマイナスとの電極を結ぶ方向に移動可能にする構成とした。
請求項２では、電池のプラス接点と導通させる突起部の大きさを、マイナス接点の外側の非導通部に接触する大きさである構成とした。
【０００７】
【作用】
本発明において請求項１では、導通板を電池のプラスとマイナスとの電極を結ぶ方向に移動可能に支持するので、振動、衝撃に対して電池と導通板とは導通する。
請求項２では、電池のプラス接点と導通させる突起部の大きさをマイナス接点の外側の非導通部に接触する大きさにしたので、電池を逆に入れても導通しない。
【０００８】
【実施例】
図１は本発明の実施例の斜視図である。図１において、１は電池２及び３の接点面以外を拘束する電池収納室、電池蓋１２は、回転可能な軸を持ち、電池収納室に固定する固定部材１１に、回転可能に軸支される。そして、電池蓋１２の開動操作により、電池２、３を装填し、閉動操作により固定部材１１に電池蓋１２を係止する。切片４、切片５は、それぞれリード線６、７と接続されて、コイルバネ８、９を介してスラスト方向に移動可能に基板１０と電池収納室１とで挟み込まれている。リード線６、７はそれぞれ装置を駆動するための回路及び機械（不図示）に接続される。
【０００９】
図２は、電池蓋１２の内部構造を示した斜視図である。図２において、電池蓋１２に固定部材１１に係止するための係止部材１３をはめ込み、板バネ１４の穴１４ａを電池蓋１２のボス１２ａにはめ込む。そして、導通板１５の突起１５ａを板バネ１４のカギ１４ｂに差し込む。さらに、導通性のある押さえ板１６により、たわむ方向の動きを規制しつつ電池蓋１２に固定する。
【００１０】
本実施例では、かしめであるが、ネジ又はスナップフィットでもよい。ならびに、導通板１５と板バネ１４を別部材としているが、板バネの先端を深絞りして、導通板と板バネとを１つの部材とすることも可能である。
図３は、図１をＢ方向からみた縦断面図である。図３において、２は電池であり、下がプラスで上がマイナスである。電池蓋１２は軸部１２ｂを中心に電池２を着脱するために回転可能になっている。そして、係止部材１３の先端にある爪１３ａが固定部材１１の突起１１ａに係止されて、係止部材１３をスライドさせて爪１３ａを突起１１ａから外すことができる。
【００１１】
まず、プラス接点は、導通板１５の突起１５ｂが接しており、さらに押さえ板１６も接している。これにより、電池２を多点で接触させることになり接触面積が増え導通性が向上し、かつ振動、衝撃等による電池２のスラスト方向の動作により押さえ板１６が離れた場合でも導通板１５が板バネ１４に押し上げられるので電池２と接触を保つようになっている。また、電池２の荷重およびマイナス側のバネの荷重は押さえ板１６で支えているため、板バネ１４は電池への追従のみの力量で十分である。
【００１２】
次に、マイナス接点は、切片４の広い範囲が接しており、導通性が良い。そして、コイルバネ８により電池の寸法変化と振動、衝撃等による電池２の動きを押さえ込むことを目的としている。
図４は、図１をＣ方向からみた状態で、電池収納室１に電池が入っていない場合の縦断面図である。図４において、導通板１５が板バネ１４に押し上げられて押さえ板１６でスラスト方向を規制されている。導通板１５は押さえ板１６の穴１６ａ、１６ｂから飛び出しており、この突出量Ｙが板バネのたわみ方向に移動できる範囲である。
【００１３】
図５は、図１をＣ方向からみた状態の縦断面図である。図５において、電池２のプラス接点は押さえ板１６に接しており、また導通板１５の突起１５ｂも板バネ１４によりスラスト方向に押し上げられ電池２のプラス接点と接している。また、コイルバネ８を介した切片４も電池２のプラス接点をコイルバネ８の荷重で押さえつけながら接している。電池３も上記と同様に、マイナス接点は押さえ板１６に接しており、また導通板１５の突起１５ｃも板バネ１４によりスラスト方向に押し上げられ電池３のマイナス接点と接している。また、コイルバネ９を介した切片５も電池３のプラス接点をコイルバネ９の荷重で押さえつけながら接している。電池２と電池収納室１との隙間Ｘは電池の製造上の寸法のばらつきのために設けられている。
【００１４】
図６は、図５の状態で振動、衝撃があった場合を示す縦断面図である。図６において、電池は不安定な位置に移動している。しかし、導通板１５の突起１５ｂは、板バネ１４によりスラスト方向に押し上げられ電池２のプラス接点と接触するので導通する。
また、電池２のマイナス接点は、コイルバネ８が縮み切片４が接点と接触している。
【００１５】
同様にして、導通板１５の突起１５ｃは、板バネ１４によりスラスト方向に押し上げられ電池３のマイナス接点と接し導通する。
また、電池３のプラス接点は、コイルバネ９が縮み切片５が接点と接触している。また、図５の隙間Ｘが図４の導通板１５の突出量Ｙより小さい。そのため、電池２、３が振動、衝撃により移動しても導通板１５は電池２、３の動きに追従する。
【００１６】
図７は、図５の状態で電池２、３のプラスとマイナスを逆にいれた場合を示す縦断面図である。図７において、導通板１５の突起１５ｂは、電池２を逆にいれたためマイナス接点の外周の非導通性の部分に干渉し押し下げられる。それにより、電池２のマイナス接点とは導通しない。また、電池収納室１の上部にある切片５は、電池３を逆にいれたため、切片５の外周に干渉し押し下げられる。それにより、マイナス接点とは導通しない。この２つの逆入れ防止により正常に入れない限りいかなる場合も導通はしない。
【００１７】
本実施例では、電池を直列に接続した場合を示したが、電池を並列に接続する場合でも同様の効果が得られる。
【００１８】
【発明の効果】
以上のように本発明の請求項１によれば、電池蓋の導通板を電池のプラスとマイナスとの電極を結ぶ方向に移動可能に支持するので、衝撃及び振動により電池が電池収納室内でたとえ動いても、電池の電極と導通板とを接することができ導通可能となる。
【００１９】
請求項２によれば、電池のプラス接点と導通させる突起部の大きさを電池のマイナス接点の外側の非導通部に接触する大きさとしたので、たとえ電池を逆に装填したとしても、電池の電極と導通板とは導通しないので、電池の逆入れを撮影者に知らせることができる。
【図面の簡単な説明】
【図１】図１は、電池収納装置の構成を示した斜視図である。
【図２】図２は、電池蓋の内部構造を示した斜視図である。
【図３】図３は、図１をＢ方向からみた電池収納装置の縦断面図である。
【図４】図４は、図１をＣ方向からみた電池が装填されていない電池収納装置の縦断面図である。
【図５】図５は、図１をＣ方向からみた電池が装填されている電池収納装置の縦断面図である。
【図６】図６は、図５の電池が動いた電池収納装置の縦断面図である。
【図７】図７は、図４に電池を逆に装填した電池収納装置の縦断面図である。
【図８】図８は、従来の電池収納装置の構成を示した斜視図である。
【図９】図９は、図８をＡ方向からみた電池収納装置の縦断面図である。
【図１０】図１０は、図８をＡ方向からみた電池を逆に装填した電池収納装置の縦断面図である。
【符号の説明】
１  ・・・  電池収納室
１２・・・  電池蓋
１４・・・  板バネ
１５・・・  導通板
１６・・・  押さえ板
【図１】
0003669015.tif 000002
【図２】
0003669015.tif 000003
【図３】
0003669015.tif 000004
【図４】
0003669015.tif 000005
【図５】
0003669015.tif 000006
【図６】
0003669015.tif 000007
【図７】
0003669015.tif 000008
【図８】
0003669015.tif 000009
【図９】
0003669015.tif 000010
【図１０】
0003669015.tif 000011